(57)【要約】      （修正有）【課題】コンクリートの付着しにくい形で規格化した、プラスチック製型枠を提供する。【解決手段】規格化したプラスチック製部材の上面に一定間隔の突起を作り、下面には、上面の突起が嵌合する窪みを設けて、土木、建築用の基礎コンクリート用型枠を提供する。プラスチック製型枠の作成方法は、１段目に規格化したプラスチック製部材の突起を上面として部材を敷き並べ、次に２段目のプラスチック製部材の下面の突起に嵌合させる。この手順で上方へ向かってプラスチック製部材を、レンガ積みで積み上げていく。コンクリート打設時の側圧による型枠の広がり防止手段は、一対のプラスチック製部材の上面に設けられた突起間で、リングセパレーターで連結することによる。【選択図】図３
2006266060.tif 000002
【特許請求の範囲】
【請求項１】
上部分一定間隔に突起があり  下部分に一定間隔に窪みがあるプラスチック製型枠材
【請求項２】
一つ一つに色付け見ただけで寸法がわかるプラスチック製型枠材
【請求項３】
レンガ積みで通りを出し強度出していくプラスチック製型枠材
【請求項４】
突起部分に（両方に輪がついたセパー）入れコンクリート打設じ型枠が広がるのを防ぐこともできるプラスチック製型枠
【請求項５】
厚みは  ５０ｍｍ〜１００ｍｍぐらいで幅３５０ｍｍ  長さは企画寸法で作るプラスチック製型枠
【請求項６】
上の部分の突起を使いスリーブや開口が作りやすいプラスチック製型枠
【請求項７】
両面平らのため両面打ちっぱなしに使えるプラスチック製型枠
【請求項８】
コンクリートが付きにくい形のプラスチック製型枠
【請求項９】
この素材に石膏ボードを張るだけで簡単に間仕切りができる
【発明の詳細な説明】
【０００１】発明の属する技術分野  本開発は、建築、土木作業時のコンクリート基礎工事で使用するプラスチック製
枠材これらを積み重行く枠材です。
【０００２】以来の技術    各種建築、土木作業において、コンクリート基礎工事を行う際、合板やラスなどで作った
枠材の区切った空間にコンクリート流し込んで固めた後型枠を取り除く作業がする。このような作業は
パイプを使い複雑な上材料が多く  時間がかかり経験も必要となる
【０００３】このような合板を使った枠材の問題点を解決するため、（図１２）に示すようなプラスチック製型枠を提案しています
【０００４】このプラスチック枠は積み重ねことにより通りがでる  耐久性もあり短期の腐食がなく  リサイクルにも
優れている
【０００５】自由来施工と違い  軽量なり  部品が少なく  簡単施工できるので高齢者や女性でも簡単に施工が出来ます
【０００６】企画に優れているため  図面が簡単で色識別でき経験が少なくても十分のたコスも押さえることが出来る
【０００７】施工時ゴミが少なく本開発は一つの材料で出来ているためリサイクルに適しているため  環境問題にも
適しているプラスチック製枠材です
【０００８】この開発は上下や  右左にも伸ばして作ることか  可能です
【０００９】この開発は  コンクリート枠面が二面有る為自由来枠とは違いかなり経済的コストダウンにつながる
【００１０】本開発は模様を付けることも出来何回でも使用が可能になります
【００１１】製造  販売  回収  リサイクル  製造で環境問題コスト問題を解決できます
2006266060.tif 000003
【００１２】組み立てるだけのため  一定した製品が現場でも供給でき  色分けで寸が分かり現場管理にも優れている
【００１３】アールなどは製品を曲げとくことにより可能です
【００１４】セーパーをいれ枠の膨らみを防ぐ
【００１５】自由来の枠おおとつが有りコンクリートが取りにくいが本開発はおおとつがないため取りやすい
【００１６】おおとつがないため  積み置きが簡単
【００１７】本発明は  プラスチック  ＦＲＰ  チップ木材  などで作る事によって  室内の間仕切りも使える
【００１８】本発明は道具は  ハンマー  バール程度で施工できる（企画にした場合）
【００１９】後期が削減できる
【００２０】保管するのに場所を取らない
【００２１】一人でも作業性がいい
【００２２】材料を無駄に持つ手行かなくてもいい
利用分野
（発明の属する技術分野）
本開発は  建築、土木作業時等のコンクリート工事で使用するプラスチック製型枠材
効果
（開発の効果）
本開発のプラスチック製型枠材使用より高齢者  女性  未経験が簡単に施工出来る為雇用が促進する
本開発で廃棄プラスチックのリサイクルが促進される
本開発は  プラスチック一つで出来ているためリサイクルがしやすい
本開発は  耐久性がありコストを下げることが出来る
従来の技術
（１）各種  建築、土木作業にコンクリート工事で使用していた  合板や構成型枠で型枠をいれコンクリート
を  流し込んで固めた後型枠を取りのぞくこうした作業が複雑になっている
（２）合板の切断したゴミが出ていました
（３）熟年した作業員が必要とした
（４）パイプ等で閉めていたため高齢者が働きにくい環境であった
【図１】
2006266060.tif 000004
【図２】
2006266060.tif 000005
【図３】
2006266060.tif 000006
【図４】
2006266060.tif 000007
【図５】
2006266060.tif 000008
【手続補正書】
【提出日】平成17年5月27日(2005.5.27)
【手続補正１】
【補正対象書類名】明細書
【補正対象項目名】全文
【補正方法】変更
【補正の内容】
【発明の詳細な説明】
【０００１】発明の属する技術分野  本開発は、建築、土木作業時のコンクリート基礎工事で使用するプラスチック製枠材これらを積み重行く枠材です。
【０００２】以来の技術    各種建築、土木作業において、コンクリート基礎工事を行う際、合板やラスなどで作った枠材の区切った空間にコンクリート流し込んで固めた後型枠を取り除く作業がする。このような作業はパイプを使い複雑な上材料が多く  時間がかかり経験も必要となる
【０００３】このような合板を使った枠材の問題点を解決するため、（図１２）に示すようなプラスチック製型枠を提案しています
【０００４】このプラスチック枠は積み重ねことにより通りがでる  耐久性もあり短期の腐食がなくリサイクルにも優れている
【０００５】自由来施工と違い  軽量なり  部品が少なく  簡単施工できるので高齢者や女性でも簡単に施工が出来ます
【０００６】企画に優れているため  図面が簡単で色識別でき経験が少なくても十分のたコスも押さえることが出来る
【０００７】施工時ゴミが少なく本開発は一つの材料で出来ているためリサイクルに適しているため環境問題にも適しているプラスチック製枠材です
【０００８】この開発は上下や  右左にも伸ばして作ることか  可能です
【０００９】この開発は  コンクリート枠面が二面有る為自由来枠とは違いかなり経済的コストダウンにつながる
【００１０】本開発は模様を付けることも出来何回でも使用が可能になります
【００１１】製造  販売  回収  リサイクル  製造で環境問題コスト問題を解決できます2006266060.tif 000009
【００１２】組み立てるだけのため  一定した製品が現場でも供給でき  色分けで寸が分かり現場管理にも優れている
【００１３】アールなどは製品を曲げとくことにより可能です
【００１４】セーパーをいれ枠の膨らみを防ぐ
【００１５】自由来の枠おおとつが有りコンクリートが取りにくいが本開発はおおとつがないため取りやすい
【００１６】おおとつがないため  積み置きが簡単
【００１７】本発明は  プラスチック  ＦＲＰ  チップ木材  などで作る事によって  室内の間仕切りも使える
【００１８】本発明は道具は  ハンマー  バール程度で施工できる（企画にした場合）
【００１９】後期が削減できる
【００２０】保管するのに場所を取らない
【００２１】一人でも作業性がいい
【００２２】材料を無駄に持つ手行かなくてもいい利用分野（発明の属する技術分野）本開発は  建築、土木作業時等のコンクリート工事で使用するプラスチック製型枠材効果（開発の効果）本開発のプラスチック製型枠材使用より高齢者  女性  未経験が簡単に施工出来る為雇用が促進する本開発で廃棄プラスチックのリサイクルが促進される本開発は  プラスチック一つで出来ているためリサイクルがしやすい本開発は  耐久性がありコストを下げることが出来る従来の技術（１）各種  建築、土木作業にコンクリート工事で使用していた  合板や構成型枠で型枠をいれコンクリートを  流し込んで固めた後型枠を取りのぞくこうした作業が複雑になっている（２）合板の切断したゴミが出ていました（３）熟年した作業員が必要とした（４）パイプ等で閉めていたため高齢者が働きにくい環境であった
【図面の簡単な説明】
【００２３】
【図１】は一個一個部品で  コーナー部分やストレート部分です。
【図２】は  組み立てかたを  表しています
【図３】は、実際の使用方法です  本体を重ねて  付属品を使い組み立てる製品です。
【図４】は、付属品で  これらを使い施工します。
【図５】は、高く積み上げた  時に使うものです。
【手続補正２】
【補正対象書類名】図面
【補正対象項目名】全図
【補正方法】変更
【補正の内容】
【図１】
2006266060.tif 000010
【図２】
2006266060.tif 000011
【図３】
2006266060.tif 000012
【図４】
2006266060.tif 000013
【図５】
2006266060.tif 000014